(57)【特許請求の範囲】
【請求項１】
水素リッチな改質ガスを生成する水素製造装置において、
水素製造用原料を改質触媒により改質して前記改質ガスを生成する改質部と、
前記改質部を加熱する加熱手段と、
前記改質部の温度を検出する複数の温度センサ部と、
前記温度センサ部で検出された温度に基づいて、前記加熱手段による加熱温度を制御する制御部と、を備え、
前記改質部は、前記水素製造用原料が流入する導入部と、前記改質ガスが流出する流出部と、を有し、
前記流出部は、内筒部と、前記内筒部の外側に配置された外筒部とを有すると共に、前記内筒部と前記外筒部との間で前記改質触媒を保持し、
複数の前記温度センサ部は、前記流出部内で保持された前記改質触媒の内部において前記流出部の周方向に沿って配置されており、
前記制御部は、複数の前記温度センサ部によって検出された温度のうち、最も低い温度が閾値よりも低い場合には、前記加熱手段による加熱温度を上昇させることを特徴とする水素製造装置。
【請求項２】
前記外筒部の外側に設けられた筒状の外壁筒部と、
前記改質部の前記流出部から流出した前記改質ガスを前記外筒部の外周面に沿って案内した後、前記外壁筒部の内周面に沿って案内するように、前記外筒部と前記外壁筒部との間に設けられた環状の仕切壁と、
前記外筒部と前記仕切壁との間に設けられた第１のライナ部と、
前記仕切壁と前記外壁筒部との間に設けられた第２のライナ部と、を更に備えることを特徴とする請求項１記載の水素製造装置。
【請求項３】
前記外壁筒部を囲むように配置され、前記改質のための改質用水を前記改質部に導入するための水流路を形成する筒状の水路壁と、
前記水路壁と前記外壁筒部との間に設けられた第３のライナ部と、
を更に備えることを特徴とする請求項２記載の水素製造装置。
【発明の詳細な説明】
【技術分野】
【０００１】
本発明は、水素リッチな改質ガスを生成する水素製造装置に関する。
【背景技術】
【０００２】
特許文献１には、灯油やガソリンなどの原料を改質して水素リッチな改質ガスを生成する水素製造装置が開示されている。この種の水素製造装置は、ガスバーナを囲む中空筒状の改質器を備えている。改質器には、水素製造用原料と水蒸気とが導入される。改質器には改質触媒が収容されており、改質器がガスバーナによって所定の温度まで加熱されると、改質触媒によって水蒸気改質が促進され、水素リッチな改質ガスが生成される。改質ガス中には、被毒によって発電効率の低下させる一酸化炭素が含まれており、改質器から排出された改質ガスは、シフト部及び選択酸化反応部に送られて一酸化炭素が除去された後に、燃料電池スタックに供給される。
【特許文献１】特開２００４−１７５６２１号公報
【発明の開示】
【発明が解決しようとする課題】
【０００３】
改質器内では、ガスバーナに近い側と遠い側などにおいてどうしても温度の偏りが生じてしまう。しかしながら、従来の水素製造装置は、温度の偏りを考慮したガスバーナの燃焼制御を行っておらず、改質触媒の一部が改質反応の促進に適した温度よりも低い温度になって改質効率が低下してしまう虞があった。改質効率が低下すると、未改質の原料が流出し易くなり、未改質の原料が燃料電池スタックに供給されると、発電効率を低下させてしまう。
【０００４】
本発明は、以上の課題を解決することを目的としており、改質効率を向上させて未改質の原料の流出を低減できる水素製造装置を提供することを目的とする。
【課題を解決するための手段】
【０００５】
本発明は、水素リッチな改質ガスを生成する水素製造装置において、水素製造用原料を改質触媒により改質して前記改質ガスを生成する改質部と、改質部を加熱する加熱手段と、改質部の温度を検出する複数の温度センサ部と、温度センサ部で検出された温度に基づいて、加熱手段による加熱温度を制御する制御部と、を備え、改質部は、水素製造用原料が流入する導入部と、改質ガスが流出する流出部と、を有し、流出部は、内筒部と、内筒部の外側に配置された外筒部とを有すると共に、内筒部と外筒部との間で改質触媒を保持し、複数の温度センサ部は、流出部内で保持された改質触媒の内部において流出部の周方向に沿って配置されていることを特徴とする。
【０００６】
この水素製造装置では、複数の温度センサ部で検出された温度に基づいて加熱手段による加熱温度が制御されるので、改質部の改質触媒の温度を広範囲で監視できる。さらに、複数の温度センサ部は、改質部における改質ガスの流出部に設けられており、流出部の温度に基づいて加熱手段による加熱温度が制御されるため、原料が残っていても、最終的に流出部で改質が促進され、未改質の原料が流出し難くなって、改質効率が向上する。さらに、流出部は、内筒部と、内筒部の外側に配置された外筒部とを有すると共に、内筒部と外筒部との間で改質触媒を保持し、複数の温度センサ部は、流出部の周方向に沿って配置されているため、内筒部と外筒部との間で保持された改質触媒の温度を偏りなく検出し易くなり、流出部で保持されている改質触媒を改質反応に適した温度に維持し易くなって改質効率は向上し、未改質の原料の流出を低減できる。
【０００７】
さらに、制御部は、複数の温度センサ部によって検出された温度のうち、最も低い温度が閾値よりも低い場合には、加熱手段による加熱温度を上昇させる。例えば、複数の温度センサ部によって検出された温度の算術平均値に基づいて改質部の改質触媒の温度を制御した場合には、改質触媒中の温度に偏りが生じていても、その偏りが均されてしまって適切な温度管理が難しい。これに対して、上記構成によれば、複数の温度センサ部によって検出された温度のうち、最も低い温度を基準に温度管理を行えるため、改質触媒中の温度に偏りが生じて局所的に温度が低い部分が生じても、その部分の温度を向上させることができて改質効率を向上できる。
【０００８】
さらに、外筒部の外側に設けられた筒状の外壁筒部と、改質部の流出部から流出した改質ガスを外筒部の外周面に沿って案内した後、外壁筒部の内周面に沿って案内するように、外筒部と外壁筒部との間に設けられた環状の仕切壁と、外筒部と仕切壁との間に設けられた第１のライナ部と、仕切壁と外壁筒部との間に設けられた第２のライナ部と、を更に備えると好適である。第１のライナ部及び第２のライナ部により、流出部に沿って改質ガスが移動する流路が確実に形成されるため、流出部から流出した改質ガスが流出部を囲むようになって流出部は温度低下し難くなり、改質効率が向上する。
【０００９】
さらに、外壁筒部を囲むように配置され、改質のための改質用水を改質部に導入するための水流路を形成する筒状の水路壁と、水路壁と外壁筒部との間に設けられた第３のライナ部と、を更に備えると好適である。第３のライナ部により、改質用水の流路が確実に形成されるため、改質用水の不足による改質効率の低下を防止できる。
【発明の効果】
【００１０】
本発明によれば、改質効率を向上させて未改質の原料の流出を低減できる。
【発明を実施するための最良の形態】
【００１１】
以下、図面を参照して、本発明の好適な実施形態について詳細に説明する。なお、図面の説明において同一又は相当要素には同一符号を付し、重複する説明は省略する。
【００１２】
図１は本発明に係る水素製造装置を適用した燃料電池システムの概略を示す図である。燃料電池システム１は、水素製造用原料として液体原料を用いて発電を行なうものであり、例えば家庭用の電力供給源として採用される。ここでは、液体原料としては、入手が容易であり且つ独立して貯蔵可能であるという観点から灯油を用いている。
【００１３】
図１に示されるように、燃料電池システム１は、脱硫器２、水素製造装置（以下、「ＦＰＳ」という）３、固体高分子形燃料電池（以下、「ＰＥＦＣ」という）スタック４、インバータ５、及びこれらを収容する筐体６を備えている。
【００１４】
脱硫器２は、外部から導入された液体原料を脱硫するものである。この脱硫器２には、ヒータ（不図示）が設けられており、これにより、脱硫器２は、例えば１３０℃〜１４０℃まで加熱されるようになっている。
【００１５】
ＦＰＳ３は、熱源としてのバーナ（加熱手段）９を備える燃焼筒１１と、燃焼筒１１を囲むように配置され（図２参照）、液体原料を水蒸気改質して水素リッチな改質ガスを生成する改質器（改質部）１３と、改質器１３から流出する改質ガス中の一酸化炭素を除去するＣＯ除去部１５と、バーナ９による加熱温度を制御するバーナ制御部（制御部）１６とを備えている。ＣＯ除去部１５は、上流側の変成器４１と下流側の選択酸化器４３とによって構成されている。
【００１６】
図２〜図４に示されるように、改質器１３は、燃焼筒１１の外側で、燃焼筒１１と同心に配置された筒状の内胴部１７と、内胴部１７の外側で、内胴部１７と同心に配置された筒状の外胴部１９と、を備え、内胴部１７及び外胴部１９の上部には、液体原料が気化した原料ガスと蒸気化した改質用水とが導入される導入部２１が設けられている。なお、燃焼筒１１と内胴部１７との間には、燃焼筒１１からの排ガスＧ２が上昇する排ガス流路Ｓ１が形成されている。排ガスＧ２は、内胴部１７の下部近傍で最も高温であり、排ガス流路Ｓ１を上昇する際に改質器１３と熱交換されて徐々に冷却される。
【００１７】
外胴部１９の下部には、上部よりも径が小さくなっている縮径筒部１９ａが形成されている。内胴部１７と外胴部１９との間には、原料ガスと水蒸気との水蒸気改質反応を促進して改質ガスＧ１を生成する改質触媒Ｃ１が収容され、縮径筒部１９ａの下端には、改質触媒Ｃ１を支持する環状の多孔板１９ｂが設けられている。改質触媒Ｃ１は、貴金属系水蒸気改質触媒であり、ルテニウムを用いている。改質触媒Ｃ１の触媒反応に適した温度は５５０°Ｃ〜８００°Ｃである。
【００１８】
改質器１３内で生成された改質ガスＧ１は、多孔板１９ｂを抜けて下方に流出する。多孔板１９ｂ、縮径筒部１９ａ及び縮径筒部１９ａに対面する内筒部１７の下部筒部１７ａによって改質ガスの流出部２３が形成されている。なお、縮径筒部１９ａは外筒部に相当し、内胴部１７の下部筒部１７ａは内筒部に相当する。
【００１９】
流出部２３内で保持されて改質触媒Ｃ１の内部には、流出部２３の周方向に沿って４個の熱電対（温度センサ部）２５が等間隔で配置されている。熱電対２５は、バーナ制御部１６に電気信号を入力可能に接続されている。バーナ制御部１６は、バーナ９に供給される燃料や空気の量を調整可能であり、改質触媒Ｃ１の温度が、触媒反応に適した温度、すなわち５５０°Ｃ〜８００°Ｃになるようにバーナ９の加熱温度を制御している。
【００２０】
ここで、改質触媒Ｃ１の温度は、バーナ９に近い側と遠い側との差など、どうしても温度の偏りが生じてしまう。この温度の偏りを精度良く検出し、広い範囲で、改質触媒Ｃ１を改質反応に適した温度にするために、熱電対２５は複数設けられている。
【００２１】
バーナ制御部１６は、複数の熱電対２５によって検出された温度のうち、最も低い温度が、下限の閾値、すなわち５５０°以下になった場合には、バーナ９による加熱温度を上げる。また、バーナ制御部１６は、複数の熱電対２５によって検出された温度のうち、最も高い温度が、上限の閾値、すなわち８００°以上になった場合には、バーナ９による加熱温度を下げる。このような加熱温度の制御により、改質触媒Ｃ１の温度を広い範囲で改質反応に適した温度にでき、改質効率を向上できる。
【００２２】
改質器１３の温度は、流出部２３の近傍で最も高いため、流出部２３での温度が改質反応に適した温度以下になっていると、改質器１３全体が改質反応に不適な温度になっていることになる。そこで、本実施形態では、流出部２３の温度を精度良く監視するために、複数の熱電対２５を流出部２３に纏めて設けている。その結果として、流出部２３の温度低下を防止でき、改質効率の低下を効果的に抑えることができる。さらに、流出部２３を改質反応に適した温度にすることで、未改質の原料ガスが残っていても、最終的に流出部２３で改質を促進でき、未改質の原料ガスが流出し難くなって、改質効率が向上する。
【００２３】
さらに、複数の熱電対２５は、流出部２３の周方向に沿って配置されており、流出部２３で保持された改質触媒Ｃ１の温度を改質反応に適した温度に維持し易い。特に、熱電対２５は等間隔でバランス良く配置されているため、流出部２３で保持された改質触媒Ｃ１の温度を偏り無く検出でき、改質効率を向上できる。
【００２４】
流出部２３の縮径筒部１９ａの外側には、環状の仕切壁２７が配置されている。仕切壁２７は、流出部２３の下方に配置された円形のガイド板２８の縁に固定されており、ガイド板２８は内胴部１７の下端に固定されている。仕切壁２７の外側には、円筒状の伝熱壁部（外壁筒部）２９が配置され、伝熱壁部２９は、改質器１３の外胴部１９の上部に固定されている。
【００２５】
ガイド板２８及び仕切壁２７によって改質ガスＧ１の迂回路Ｓ２が形成される。すなわち、流出部２３から流出した改質ガスＧ１は、ガイド板２８に衝突して流下方向が変わり、仕切壁２７に案内されながら縮径筒部１９ａの外周面１９ｃに沿って上昇する。その後、改質ガスＧ１は、仕切壁２７の上端を抜けて折り返し、伝熱壁部２９の内周面２９ａに沿って下降する。迂回路Ｓ２を流動する改質ガスＧ１は、仕切壁２７に沿って上昇する際に、外胴部１９を介して改質触媒Ｃ１と熱交換し、改質触媒Ｃ１の温度低下を防止する。
【００２６】
外胴部１９の縮径筒部１９ａと仕切壁２７との間には、四個の下段内側ライナ部（第１のライナ部）３１と四個の上段内側ライナ部（第１のライナ部）３２とが設けられている。下段内側ライナ部３１は、縮径筒部１９ａの周方向に沿って等間隔で配置されている。また、上段内側ライナ部３２は、下段内側ライナ部３１の上方で、縮径筒部１９ａの周方向に沿って等間隔で配置されている。下段内側ライナ部３１及び上段内側ライナ部３２は、縮径筒部１９ａと仕切壁２７との隙間に対応した径を有する円柱状の鋼材であり、縮径筒部１９ａの軸線に平行になるようにして縮径筒部１９ａ及び仕切壁２７に溶接されている。なお、下段内側ライナ部３１や上段内側ライナ部３２は四個に限定されず、二個、三個、または五個以上の複数の下段内側ライナ部３１を等間隔で設けたり、複数の上段内側ライナ部３２を等間隔で設けたりしても良い。
【００２７】
また、仕切壁２７と伝熱壁部２９との間には、四個の下段外側ライナ部（第２のライナ部）３３と、四個の上段外側ライナ部（第２のライナ部）３４とが設けられている。下段外側ライナ部３３は、下部内側ライナ部３１に重なるように等間隔で配置され、上段外側ライナ部３４は、上部内側ライナ部３２に重なるように等間隔で配置されている。下段外側ライナ部３３及び上段外側ライナ部３４は、仕切壁２７と伝熱壁部２９との隙間に対応した径を有する円柱状の鋼材であり、流出部２３の軸線に平行になるようにして仕切壁２７と伝熱壁部２９とに溶接されている。なお、下段外側ライナ部３３や上段外側ライナ部３４は四個に限定されず、二個、三個、または五個以上の複数の下段外側ライナ部３３を等間隔で設けたり、複数の上段外側ライナ部３４を等間隔で設けたりしても良い。
【００２８】
各内側ライナ部３１，３２及び各外側ライナ部３３，３４を設けることにより、改質ガスＧ１の迂回路Ｓ２が確実に形成される。さらに、各内側ライナ部３１，３２及び各外側ライナ部３３，３４は、流出部２３の周方向に沿って等間隔で配置されているため、流出部２３に対する仕切壁２７の偏心が無くなり、迂回路Ｓ２を流れる改質ガスＧ１に偏りがなくなる。さらに、内側ライナ部３１及び外側ライナ部３３を設けることにより、縮径筒部１９ａ、仕切壁２７及び伝熱壁部２９の位置合わせが容易になり、製造が容易になり、強度も高くなる。
【００２９】
伝熱壁部２９の外側には、伝熱壁部２９と同心に配置された筒状の水路壁３５が設けられている。伝熱壁部２９と水路壁３５との間には、水蒸気改質のための改質用水が流動する改質用水流路（水流路）Ｓ３が形成される。改質用水Ｗは、水蒸気として改質用水流路Ｓ３を上昇し、改質器１３を介してバーナ９の熱によって加熱され、改質器１３の導入部２１に供給される。なお、改質器１３の流出部２３から流出して迂回路Ｓ２を流下する改質ガスＧ１は、伝熱壁部２９を介して改質用水Ｗとの間で熱交換され、冷却される。
【００３０】
改質用水流路Ｓ３を形成する伝熱壁部２９と水路壁３５との間には、四個の上部ライナ部（第３のライナ部）３７と四個の下部ライナ部（第３のライナ部）３９とが設けられている。上部ライナ部３７は、導入部２１に近い出口近傍で、伝熱壁部２９の周方向に沿って等間隔に配置されている。上部ライナ部３７は、伝熱壁部２９と水路壁３５との隙間に対応した径を有する円柱状の鋼材であり、伝熱壁部２９の軸線に平行になるようにして伝熱壁部２９及び水路壁３５に溶接されている。
【００３１】
下部ライナ部３９は、改質用水流路Ｓ３の入口近傍で、伝熱壁部２９の周方向に沿って等間隔に配置されている。下部ライナ部３９は、伝熱壁部２９と水路壁３５との隙間に対応した径を有する円柱状の鋼材であり、伝熱壁部２９の軸線に平行になるようにして伝熱壁部２９及び水路壁３５に溶接されている。
【００３２】
上部ライナ部３７及び下部ライナ部３９を設けることによって、改質用水流路Ｓ３が確実に形成されるため、改質用水の不足による改質効率の低下を防止できる。特に、上部ライナ部３７及び下部ライナ部３９は、伝熱壁部２９の周方向に沿って等間隔でバランス良く配置されているために、伝熱壁部２９に対する水路壁３５の偏心を防止でき、改質用水流路Ｓ３を上昇する改質用水の流れに偏りが無くなる。さらに、上部ライナ部３７及び下部ライナ部３９を設けることで、伝熱壁部２９に対する水路壁３５の位置合わせは容易になり、製造が容易になる。
【００３３】
図１に示されるように、ＦＰＳ３は、改質器１３の下方に隣接して配置されると共に、改質器１３からの改質ガスＧ１に含まれている一酸化炭素を除去するＣＯ除去部１５を備えている。ＣＯ除去部１５は、水性シフト反応によって改質ガスＧ１から一酸化炭素を低減する変成器４１と、変成器４１からの改質ガスＧ１中の一酸化炭素を選択酸化する選択酸化器４３と、を備えている。
【００３４】
変成器４１には、改質ガスＧ１中の一酸化炭素を水と二酸化炭素とに転化する水性シフト反応を促進するシフト触媒が収容されている。選択酸化器４３には、改質ガスＧ１中に残る一酸化炭素の選択酸化反応を促進する選択酸化触媒が収容されている。改質器１３から流出した改質ガスＧ１は、変成器４１に導入されて一酸化炭素が低減される。変成器４１では、一酸化炭素濃度を１％以下にすることは困難であるため、変成器４１を経た改質ガスＧ１は、選択酸化器４３に導入される。選択酸化器４３では、一酸化炭素濃度を１０ppm以下にまで低減させることができる。
【００３５】
ＰＥＦＣスタック４は、複数の電池セル（不図示）が積み重ねられて構成されており、ＦＰＳ３で得られた改質ガスＧ１を用いて発電してＤＣ電流を出力する。電池セルは、アノードと、カソードと、アノード及びカソード間に配置された電解質である高分子のイオン交換膜とを有しており、アノードに改質ガスＧ１を導入させると共に、カソードに空気を導入させることで、各電池セルにおいて電気化学的な発電反応が行われることになる。
【００３６】
インバータ５は、出力されたＤＣ電流をＡＣ電流に変換する。筐体６は、その内部に脱硫器２、ＦＰＳ３、ＰＥＦＣスタック４及びインバータ５をモジュール化して収容する。
【００３７】
また、燃料電池システム１は、液体原料を筐体６の外部からＦＰＳ３に導入するための液体原料ラインＬ１を備えている。液体原料ラインＬ１上には、脱硫器２が設けられている。液体原料ラインＬ１の脱硫器２よりも下流側は分岐しており、一方は、液体原料を改質器１３に導入する液体原料ラインＬ１１となり、他方は、液体原料をバーナ９に供給する液体原料ラインＬ１２となっている。
【００３８】
また、燃料電池システム１は、水蒸気改質に用いられる改質用水Ｗを改質器１３に導入する水導入ラインＬ２を備えている。水導入ラインＬ２は、ＦＰＳ３に設けられた改質用水流路Ｓ３（図２参照）に接続されており、水導入ラインＬ２上には、改質用水Ｗを貯留する水タンク２０と、水タンク２０から改質器１３に改質用水を供給するポンプ（不図示）とが設けられている。
【００３９】
以上、本発明の好適な実施形態について説明したが、本発明は上記実施形態に限定されるものではない。
【００４０】
例えば、上記実施形態では、水素製造用原料として灯油を用いたが、ガソリン、ナフサ、軽油、メタノール、エタノール、ＤＭＥ（ジメチルエーテル）、バイオマスを利用したバイオ燃料を用いてもよい。なお、この場合には、脱硫器（脱硫方法）及び改質器（改質方法）は、用いる液体原料の特性に応じたものとされる。
【００４１】
改質触媒に用いられる貴金属系水蒸気改質触媒としては、ニッケル、コバルト、鉄、ルテニウム、ロジウム、イリジウム、白金などのＶＩＩ属金属を用いることもできる。
【００４２】
また、上記実施形態では、改質器１３の加熱手段としてバーナ９を用いたが、電気ヒータやＰＥＦＣスタックからの排熱（例えばオフガス）を利用して改質触媒を加熱してもよい。この場合、バーナ制御部１６は、電気ヒータの印加電圧を調整したり、ＰＥＦＣスタックからの排熱の流量を調整するなどして、加熱温度を制御するようにしてもよい。
【図面の簡単な説明】
【００４３】
【図１】本発明に係る水素製造装置を用いた燃料電池システムの概略を示す図である。
【図２】水素製造装置の改質器の概略を示す図である。
【図３】図２のＩＩＩ−ＩＩＩ線に沿った断面図である。
【図４】図２のＩＶ−ＩＶ線に沿った断面図である。
【符号の説明】
【００４４】
３…水素製造装置、９…バーナ（加熱手段）、１３…改質器（改質部）、１６…バーナ制御部（制御部）、１７ａ…内胴部の下部筒部（内筒部）、１９ａ…外胴部の縮径筒部（外筒部）、２１…改質器の導入部、２３…改質器の流出部、２５…熱電対（温度センサ部）、２７…仕切壁、２９…伝熱壁部（外壁筒部）、３１…下段内側ライナ部（第１のライナ部）、３２…上段内側ライナ部（第１のライナ部）、３３…下段外側ライナ部（第２のライナ部）、３４…上段外側ライナ部（第２のライナ部）、３５…水路壁、３７…上部ライナ部（第３のライナ部）、３９…下部ライナ部（第３のライナ部）、Ｓ３…改質用水流路（水流路）、Ｃ１…改質触媒。
【図１】
0005086757.tif 000002
【図２】
0005086757.tif 000003
【図３】
0005086757.tif 000004
【図４】
0005086757.tif 000005